(57)【特許請求の範囲】
【請求項１】
遮光部を通過した電離性放射線が入射すると励起光を発生するシンチレータと、
前記シンチレータを支持するとともに前記励起光の入射角が臨界角よりも小さい場合にこの励起光を通過させ前記入射角が臨界角よりも大きい場合にこの励起光を内部伝搬させる表面を有する導光部と、
前記導光部を通過した前記励起光を受光面に入射させ電気信号に変換する光電子増倍管と、
前記導光部とともに形成する内部空間に少なくとも前記受光面を収容するケースと、
前記内部空間に露出する前記導光部の表面のうち前記受光面に近い一部の領域に設けられる微細構造層と、を備えることを特徴とするシンチレーション検出器。
【請求項２】
前記微細構造層の要素は、前記受光面から前記導光部に向かって下ろした垂線の足を含む部分領域を密に、この部分領域から離れるに従い疎に配置されることを特徴とする請求項１に記載のシンチレーション検出器。
【請求項３】
前記微細構造層は、前記導光部の表面に複数の球面体、尖端体、又は矩形体の要素が配列してなることを特徴とする請求項１又は請求項２に記載のシンチレーション検出器。
【請求項４】
前記微細構造層は、ランダムパターン、又は少なくとも１つ以上の周期パターンにより要素を配列させることを特徴とする請求項１から請求項３のいずれか１項に記載のシンチレーション検出器。
【請求項５】
前記微細構造層は、前記導光部とは別体で作成されたものをこの導光部の表面に貼付してなることを特徴とする請求項１から請求項４のいずれか１項に記載のシンチレーション検出器。
【請求項６】
前記微細構造層は、前記導光部よりも屈折率の高い部材から形成されることを特徴とする請求項１から請求項５のいずれか１項に記載のシンチレーション検出器。
【請求項７】
前記微細構造層は、エッチング、コーティング、スタンピング、グラインディング、レーザ加工のうちいずれかの処理により形成されることを特徴とする請求項１から請求項６のいずれか１項に記載のシンチレーション検出器。
【発明の詳細な説明】
【技術分野】
【０００１】
本発明は、電離性放射線を高感度で検出するシンチレーション検出器に関する。
【背景技術】
【０００２】
シンチレーション検出器は、その検出面に電離性放射線（β線等）が入射すると、この検出面に配置されるシンチレータから励起光が発生する。そして、この発生した励起光は、光電子増倍管の受光面に入射し、電気信号（電圧値）に変換され、電離性放射線が計数されることになる。
このシンチレータで発生した励起光を効率的に光電子増倍管の受光面に導くために、励起光を反射させる反射面を設ける従来技術が知られている（例えば、特許文献１）。
【先行技術文献】
【特許文献】
【０００３】
【特許文献１】特開２００７−２７８９７２号公報
【発明の概要】
【発明が解決しようとする課題】
【０００４】
ところで、大面積または大容量の被測定物から放出される電離性放射線を効率的に測定するためには、この電離性放射線が入射するシンチレータの検出面を大きくする必要がある。そして、このシンチレータで発生する励起光を受光する光電子増倍管の受光面も、このシンチレータの検出面に対応して大きく設計されることが望まれる。
しかし、一般的な光電子増倍管では受光面の大きさは限られており、シンチレータの検出面に対し、光電子増倍管の受光面の面積が相対的に小さくなり、電離性放射線の検出感度が低下する課題があった。
【０００５】
これは、励起光が入射しやすい位置に光電子増倍管を設置しても、全ての励起光を直接受光することが困難なためである。シンチレータで発生した励起光の多くは、シンチレータの内部、光電子増倍管に接合されたライトガイド、検出器の容器内部の底部や側面部に何度も反射した後に受光されることになる。
このように、光電子増倍管の受光面に対しシンチレータの検出面が相対的に大きくなる程、励起光の反射回数が増加し、吸収による検出感度の低下が避けられない。
【０００６】
このため、従来技術のように、励起光を光電子増倍管の受光面に導く反射面を設けることは、シンチレータの面積が光電子増倍管の受光面よりも相対的に大きなシンチレーション検出器において、検出感度低下の防止策とはならない。
【０００７】
本発明はこのような事情を考慮してなされたもので、光電子増倍管の受光面への集光を向上させ、大面積または大容量の被測定物から放出される電離性放射線を高感度で測定することができるシンチレーション検出器を提供することを目的とする。
【課題を解決するための手段】
【０００８】
シンチレーション検出器において、遮光部を通過した電離性放射線が入射すると励起光を発生するシンチレータと、前記シンチレータを支持するとともに前記励起光の入射角が臨界角よりも小さい場合にこの励起光を通過させ前記入射角が臨界角よりも大きい場合にこの励起光を内部伝搬させる表面を有する導光部と、前記導光部を通過した前記励起光を受光面に入射させ電気信号に変換する光電子増倍管と、前記導光部とともに形成する内部空間に少なくとも前記受光面を収容するケースと、前記内部空間に露出する前記導光部の表面のうち前記受光面に近い一部の領域に設けられる微細構造層と、を備えることを特徴とする。
【発明の効果】
【０００９】
本発明により、光電子増倍管の受光面への集光が向上し、大面積または大容量の被測定物から放出される電離性放射線を高感度で測定するシンチレーション検出器が提供される。
【図面の簡単な説明】
【００１０】
【図１】本発明に係るシンチレーション検出器の第１実施形態を示す縦断面図。
【図２】第１実施形態に係るシンチレーション検出器の平面透視図。
【図３】シンチレーション検出器の検出面における、（Ａ）は微細構造層が未形成の部位、（Ｂ）（Ｃ）（Ｄ）は微細構造層が形成されている部位の縦断面。
【図４】（Ａ）（Ｂ）（Ｃ）（Ｄ）はシンチレーション検出器の微細構造層の実施例を示す縦断面。
【図５】本発明に係るシンチレーション検出器の第２実施形態を示す縦断面図。
【図６】第２実施形態に係るシンチレーション検出器の平面透視図。
【発明を実施するための形態】
【００１１】
（第１実施形態）
以下、本発明の実施形態を添付図面に基づいて説明する。
図１及び図２に示すように、シンチレーション検出器１０は、遮光部１１を通過した電離性放射線１８が入射すると励起光１９（図３）を発生するシンチレータ１２と、このシンチレータ１２を支持するとともに励起光１９を通過させる導光部１３と、この導光部１３を通過した励起光１９を受光面２２に入射させ電気信号に変換する光電子増倍管２１と、この導光部１３とともに形成する内部空間１６に少なくとも受光面２２を収容するケース１７と、この内部空間１６に露出する導光部１３の表面の一部又は全面に設けられる微細構造層１４と、を備えている。
【００１２】
ここで、遮光部１１、シンチレータ１２及び導光部１３は、積層されて電離性放射線１８の検出面１５を形成している。そして、この検出面１５は、有底形状に成形されたケース１７の開口に固定されている。
【００１３】
ケース１７の内部空間１６には、光電子増倍管２１が設置され、外光がこの光電子増倍管２１の受光面２２に入射しないよう構成されている。また、このケース１７の内表面は、導光部１３を通過した励起光１９（図３）が吸収されないように、導後部１３が露出した内表面の全面又は一部が、この励起光１９を反射または散乱させる加工が施されている。
【００１４】
これにより、導光部１３を通過した励起光１９は、光電子増倍管２１の受光面２２に高効率で入射することになる。なお、記載を省略するが、励起光１９の受光面２２への入射効率をさらに高めるために、公知の部材をケース１７の内表面や内部空間１６に配置してもよい。
【００１５】
遮光部１１は、検出面１５の最表面に位置し、外光を反射してケース１７の内部空間１６に侵入するのを防止するが、電離性放射線１８（β線）は通過させる。そして、シンチレータ１２から外側に向かう励起光１９を反射して導光部１３に向かわせて外部に漏れないようにするものである。
【００１６】
そのため、遮光部１１は、シンチレータ１２内で発生した励起光１９（図３）の全てが導光部１３を通過するように、光を透過させずかつ高反射率の材質で構成されている。具体的に遮光部１１は、シート状のビニールの両面に真空蒸着法によってアルミニウムを成膜したシートやそれらを複数枚重ねたシートなどである。
【００１７】
シンチレータ１２は、電離性放射線１８（β線）が入射すると、このシンチレータ１２の内部でβ線が失ったエネルギー量に比例した数の４００ｎｍ程度の波長の励起光１９（図３）を発生するものである。
このシンチレータ１２として、例えば、スチレンやトルエンなどの有機溶剤に蛍光体（アントラセン、スチルベンゼンなど）を溶解して高分子化（ポリスチレン、ポリビニルトルエンなど）したプラスチックシンチレータ等が挙げられる。
【００１８】
このプラスチックシンチレータによれば、薄膜の大面積化や長尺形状などへの成形加工が容易であるばかりでなく、軽量かつ柔軟性を有することで耐衝撃性に優れ、かつ低コストで入手が容易であるといった利点を有する。さらに、材料の比重が小さくγ線感度が低いことから、β線を対象とした放射線測定において検出感度が高いといった特性を有している。
【００１９】
なお、シンチレータ１２を大面積化することにより、検出面１５に入射する電離性放射線１８の量が増大し、その検出感度の向上に寄与することになる。
【００２０】
光電子増倍管２１は、受光面２２に入射した励起光１９（図３）を増倍して、電気信号（電圧値）に変換し、検出面１５に入射した電離性放射線１８（β線）を計数するものである。なお、導光部１３を通過した励起光１９は、ケース１７の内部空間１６において様々な方向へ反射を繰り返すので、この反射の回数が少ないうちに受光面２２に入射することが検出感度を向上させる観点から望まれる。このように、良好な検出感度が得られるように配置される光電子増倍管２１の数や位置を調整する必要がある。
【００２１】
第１実施形態において光電子増倍管２１は、全体がケース１７の内部空間１６に収容されている。これにより、省ペースのシンチレーション検出器１０を実現することができる。また、第１実施形態においては、複数の光電子増倍管２１が配置されており、これら複数による計数値の総和が電離性放射線１８の計測値となる。このように光電子増倍管２１を複数設けることにより、内部空間１６における励起光１９の反射回数が低減し、電離性放射線１８の高感度測定に寄与する。
【００２２】
導光部１３は、図３に示すように、シンチレータ１２に対し、遮光部１１とは反対側に配置され、励起光１９に対して透明性の高い例えばアクリル樹脂からなるものである。また、この導光部１３は、検出面１５の機械的強度を確保する役割も果たし、その上面に配置される遮光部１１及びシンチレータ１２を支持している。
【００２３】
この導光部１３の内部に入射した励起光１９は、進行方向の界面に交わる角度が臨界角θcよりも小さい場合は、この界面を通過して内部空間１６に飛び込む。
しかし、図３（Ａ）に示すように、進行方向の界面に交わる角度が臨界角θc以上である場合、励起光１９はこの界面を全反射する。そして、この界面を全反射した励起光１９は、反対側の界面においても全反射し、このような全反射を繰り返して導光部１３の内部を伝播する。
【００２４】
一方において、図３（Ｂ）に示すように、微細構造層１４が設けられている導光部１３の界面では、励起光１９の進行方向が界面に臨界角θcよりも大きい角度で交わったとしても、この界面を通過して内部空間１６に飛び込むことができる。
これにより、図３（Ａ）に示すように、微細構造層１４が未形成の部位において、臨界角θc以上の角度の方向に進行する励起光１９は、導光部１３の内部で全反射を繰り返し、図３（Ｂ）に示される微細構造層１４が設けられている部位において、内部空間１６に飛び込むことになる。
【００２５】
微細構造層１４は、図１及び図２に示すように、受光面２２又はその延長面の手前から導光部１３に向かって下ろした垂線Ｈの足が、導光部１３に占める領域の重心点Ｇとなるように設けられている。
これにより、導光部１３の内部を全反射を繰り返して伝播する励起光１９の多くは、光電子増倍管２１の受光面２２の手前近傍に飛び込むこととなる。
【００２６】
このように、励起光１９の多くが受光面２２の手前近傍に飛び込むことにより、直接的に受光面２２に受光される励起光１９が増加するとともに、間接的に受光される場合であっても内部空間１６における反射回数を低減させることができる。
【００２７】
微細構造層１４は、導光部１３の表面に複数の球面体（図３）、尖端体（図４（Ａ））、又は矩形体（図４（Ｂ）（Ｃ））及びこれらの組み合わせ（図４（Ｄ））の要素１４ａ（１４ｂ）が配列して構成される。しかし、これら要素１４ａの形状は特に限定されない。
ここで、尖端体とは、例えば、円錐形、三角錐（又は多角錐）といった形状であり、矩形体とは、断面形状が略台形であるようなものをいう。
【００２８】
微細構造層１４の要素１４ａは、外径が１〜１００μｍの範囲に含まれる。そして、一定のピッチ間隔で周期的に配置されるか、もしくは、このピッチ間隔をランダムにしたり、二種以上の周期パターンにしたりすることができる。このピッチ間隔は、微細構造層１４の要素１４ａの外径以上で１ｃｍ以下の範囲に含まれる。
【００２９】
また、微細構造層１４の要素１４ａは、受光面２２又はその延長面の手前から導光部１３に向かって下ろした垂線の足を中心に密に、この中心から離れるに従い疎に配置させることができる。
これにより、励起光１９を光電子増倍管２１の受光面２２の近傍に効率的に集光させることができる。これによって、受光面２２に受光される励起光１９の割合が増えて電離性放射線の感度向上に寄与することになる。
【００３０】
このような微細構造層１４の要素１４ａの形状並びに配置パターンは、コンピュータシミュレーションを使用して最適値を導くことができる。
このコンピュータシミュレーションでは、ユーザ定義によるシンチレーション検出器１０の内部の幾何学的形状、構成物の配置及び材質等に起因する光学的性質を表す数値を使用する。そして、加工形状パラメータの値を様々に変化させ、シンチレータ１２の任意の位置における励起光１９の進行方向、ユーザ定義による波長、及び反射面で吸収される励起光１９の確率に基づいて、光電子増倍管２１の受光面２２に入射する励起光１９の割合を求め、この割合が最大となる加工形状パラメータを採用する。
【００３１】
構成物の材質等に起因する光学的性質の例としては、光を材料が吸収する吸収率、光の反射方向を表わす確率分布などが挙げられる。構成物の例としては、ケース１７、光電子増倍管２１等がある。
【００３２】
ユーザ定義値は、検出器で実測することによって求めても良い。効率的に加工形状のパラメータを変化させるために、ＧＡ（ジェネティックアルゴリズム）やシミュレーティッドアーリングなどの既存の最適化手法を用いてもよい。
【００３３】
加工形状パラメータの一例としては、Ｎ点の加工中心点の配置パターンを、座標面でシミュレートしたり、１点の加工中心点に対する形状をシミュレートしたりする。このとき、加工中心点の座標面上の配置は、周期的な間隔を有する場合も、ランダムである場合もどちらも考慮される。
【００３４】
微細構造層１４は、導光部１３の表面を直接的にエッチング、コーティング、スタンピング、グラインディング、レーザ加工といった処理により形成される。
エッチングとは、腐食剤により導光部１３の表面を粗面に仕上げることであり、コーティングとは、塗料を塗布して乾燥させて被膜を形成させることであり、スタンピングとは、反転形状に加工した金型を導光部１３の表面に押し当てる方法であり、グラインディングとは研磨材により導光部１３の表面を粗面に仕上げることであり、レーザ加工とはレーザビームを走査することでパターンを形成する方法である。
【００３５】
また、微細構造層１４は、図３（Ｃ）に示すように、導光部１３とは別体で作成されたシート状のものをこの導光部１３の表面に貼付して形成してもよい。
これにより、製造工程の簡略化が図れる。なお、そのようなシートの作成方法は、導光部１３の表面に微細構造層１４を直接形成する場合に前述した方法を、そのまま適用することができる。
【００３６】
また、微細構造層１４は、図３（Ｄ）に示すように、導光部１３よりも屈折率の高い部材で形成させる場合がある。
この場合は、導光部１３を通過した励起光１９の内部空間１６における進行方向が、より鋭角となって、この励起光１９を光電子増倍管２１の受光面２２の近傍に集光させることができる。これによって、受光面２２に受光される励起光１９の割合が増えて電離性放射線の感度向上に寄与することになる。
【００３７】
（第２実施形態）
次に図５、図６を参照して本発明における第２実施形態について説明する。なお、図５、図６において図１と同一又は相当する部分は、同一符号で示し、すでにした記載を援用して、詳細な説明を省略する。
【００３８】
第２実施形態のシンチレーション検出器１０は、受光面２２に受光される励起光１９の割合を増加させるために光電子増倍管２１のレイアウトを変更したものである。この場合、受光面２２は、内部空間１６に配置されるが、光電子増倍管２１の本体部分は外部に位置することになる。
そして、このような光電子増倍管２１の配置に対応して、導光部１３に配置される微細構造層１４も、分割して配置されることになる。
【００３９】
なお、この第２実施形態において、光電子増倍管２１は、ケース１７の側壁に貫通して二つの受光面２２がそれぞれ対向するように配置したものを例示しているが、これに限定されるものではない。例えば、光電子増倍管２１を、ケース１７の底面に貫通させる場合もあるし、受光面２２をケース１７の側壁や底面に対して傾斜するように配置する場合も含まれる。
【００４０】
本発明では、シンチレーション検出器１０の検出面１５を広くすることにより、電離性放射線１８の入射量を増やすことができる。そして、シンチレータ１２における励起光１９の発生を増やすことができる。
【００４１】
さらにケース１７の内部空間１６に露出する導光部１３の表面に設けられる微細構造層１４から、導光部１３を伝播する励起光１９が光電子増倍管２１の受光面２２に導かれる。これにより、導光部１３の内部で全反射を繰り返して減衰・吸収されてしまう励起光１９のうち受光面２２に入射する割合が増え、電離性放射線１８を高感度で測定することが可能になる。
【００４２】
本発明は前記した実施形態に限定されるものでなく、共通する技術思想の範囲内において、適宜変形して実施することができる。例えば、導光部１３に設けられる微細構造層１４の領域は、図示した態様に限定されるものではなく、光電子増倍管２１の受光面２２に入射する励起光１９の割合が最大となるように、適宜設定されるものである。また、この微細構造層１４が、ケース１７の内部空間１６に露出する導光部１３の全面に設けられる場合もある。
【符号の説明】
【００４３】
１０…シンチレーション検出器、１１…遮光部、１２…シンチレータ、１３…導光部、１４…微細構造層、１４ａ（１４ｂ）…要素、１５…検出面、１６…内部空間、１７…ケース、１８…電離性放射線、１９…励起光、２１…光電子増倍管、２２…受光面、Ｇ…重心点、Ｈ…垂線。
【図１】
0005649475.tif 000002
【図２】
0005649475.tif 000003
【図３】
0005649475.tif 000004
【図４】
0005649475.tif 000005
【図５】
0005649475.tif 000006
【図６】
0005649475.tif 000007